【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
送信時間間隔において正規の共通パイロットチャネル上で共通パイロットシンボルを受信することと、
同じ前記送信時間間隔において専用パイロットチャネル上で専用パイロットシンボルを受信することと、
パケット専用制御チャネル上で制御信号を受信することと、
物理ダウンリンク共有チャネル上でデータ信号を受信することと、
前記正規の共通パイロットチャネル上で受信された前記共通パイロットシンボルに基づいて前記パケット専用制御チャネル上で受信された前記制御信号を復調することと、
前記正規の共通パイロットチャネル上で受信された前記共通パイロットシンボルと前記専用パイロットチャネル上で受信された前記専用パイロットシンボルとに基づいて前記物理ダウンリンク共有チャネル上で受信された前記データ信号を復調することと、
前記正規の共通パイロットチャネル上で受信された前記共通パイロットシンボルと前記専用パイロットチャネル上で受信された前記専用パイロットシンボルとに基づいてチャネル推定を生成することと
を備える、方法。
【請求項２】
物理ブロードキャスト制御チャネル上で動作モードインジケーションを受信することをさらに備える、請求項１に記載の方法。
【請求項３】
前記共通パイロットシンボルは、プリミティブプリコーディング情報を含む、請求項１に記載の方法。
【請求項４】
前記専用パイロットシンボルは、プリコーディングされる、請求項１に記載の方法。
【請求項５】
前記正規の共通パイロットチャネルと前記パケット専用制御チャネルとは、第１の帯域幅にわたって前記送信時間間隔の第１の複数のシンボルにおいて受信され、
前記専用パイロットチャネルと前記物理ダウンリンク共有チャネルとは、第２の帯域幅にわたって前記送信時間間隔の第２の複数のシンボルにおいて受信され、
前記第２の帯域幅は、前記第１の帯域幅よりも狭い、請求項１に記載の方法。
【請求項６】
送信時間間隔において正規の共通パイロットチャネル上で共通パイロットシンボルを受信することと、
同じ前記送信時間間隔において専用パイロットチャネル上で専用パイロットシンボルを受信することと、
パケット専用制御チャネル上で制御信号を受信することと、
物理ダウンリンク共有チャネル上でデータ信号を受信することと、
前記正規の共通パイロットチャネル上で受信された前記共通パイロットシンボルに基づいて前記パケット専用制御チャネル上で受信された前記制御信号を復調することと、
前記正規の共通パイロットチャネル上で受信された前記共通パイロットシンボルと前記専用パイロットチャネル上で受信された前記専用パイロットシンボルとに基づいて前記物理ダウンリンク共有チャネル上で受信された前記データ信号を復調することと、
前記正規の共通パイロットチャネル上で受信された前記共通パイロットシンボルと前記専用パイロットチャネル上で受信された前記専用パイロットシンボルとに基づいてチャネル推定を生成することと
に関連する命令を保持するメモリと、
前記メモリに保持された前記命令を実行するように構成された前記メモリに結合されたプロセッサと
を備える、ワイヤレス通信装置。
【請求項７】
前記メモリはさらに、物理ブロードキャスト制御チャネル上で動作モードインジケーションを受信することに関連する命令をさらに保持する、請求項６に記載のワイヤレス通信装置。
【請求項８】
前記共通パイロットシンボルは、プリミティブプリコーディング情報を含む、請求項６に記載のワイヤレス通信装置。
【請求項９】
前記専用パイロットシンボルは、プリコーディングされる、請求項６に記載のワイヤレス通信装置。
【請求項１０】
前記正規の共通パイロットチャネルと前記パケット専用制御チャネルとは、第１の帯域幅にわたって前記送信時間間隔の第１の複数のシンボルにおいて受信され、
前記専用パイロットチャネルと前記物理ダウンリンク共有チャネルとは、第２の帯域幅にわたって前記送信時間間隔の第２の複数のシンボルにおいて受信され、
前記第２の帯域幅は、前記第１の帯域幅よりも狭い、請求項６に記載のワイヤレス通信装置。
【請求項１１】
送信時間間隔において正規の共通パイロットチャネル上で共通パイロットシンボルを受信するための手段と、
同じ前記送信時間間隔において専用パイロットチャネル上で専用パイロットシンボルを受信するための手段と、
パケット専用制御チャネル上で制御信号を受信するための手段と、
物理ダウンリンク共有チャネル上でデータ信号を受信するための手段と、
前記正規の共通パイロットチャネル上で受信された前記共通パイロットシンボルに基づいて前記パケット専用制御チャネル上で受信された前記制御信号を復調するための手段と、
前記正規の共通パイロットチャネル上で受信された前記共通パイロットシンボルと前記専用パイロットチャネル上で受信された前記専用パイロットシンボルとに基づいて前記物理ダウンリンク共有チャネル上で受信された前記データ信号を復調するための手段と、
前記正規の共通パイロットチャネル上で受信された前記共通パイロットシンボルと前記専用パイロットチャネル上で受信された前記専用パイロットシンボルとに基づいてチャネル推定を生成するための手段と
を備える、ワイヤレス通信装置。
【請求項１２】
物理ブロードキャスト制御チャネル上で動作モードインジケーションを受信するための手段をさらに備える、請求項１１に記載のワイヤレス通信装置。
【請求項１３】
前記共通パイロットシンボルは、プリミティブプリコーディング情報を含む、請求項１１に記載のワイヤレス通信装置。
【請求項１４】
前記専用パイロットシンボルは、プリコーディングされる、請求項１１に記載のワイヤレス通信装置。
【請求項１５】
前記正規の共通パイロットチャネルと前記パケット専用制御チャネルとは、第１の帯域幅にわたって前記送信時間間隔の第１の複数のシンボルにおいて受信され、
前記専用パイロットチャネルと前記物理ダウンリンク共有チャネルとは、第２の帯域幅にわたって前記送信時間間隔の第２の複数のシンボルにおいて受信され、
前記第２の帯域幅は、前記第１の帯域幅よりも狭い、請求項１１に記載のワイヤレス通信装置。
【請求項１６】
コンピュータプロセッサによって実行するための、機械によって実行可能な命令を格納している非一時的な機械によって読み取り可能な媒体であって、
送信時間間隔において正規の共通パイロットチャネル上で共通パイロットシンボルを受信することと、
同じ前記送信時間間隔において専用パイロットチャネル上で専用パイロットシンボルを受信することと、
パケット専用制御チャネル上で制御信号を受信することと、
物理ダウンリンク共有チャネル上でデータ信号を受信することと、
前記正規の共通パイロットチャネル上で受信された前記共通パイロットシンボルに基づいて前記パケット専用制御チャネル上で受信された前記制御信号を復調することと、
前記正規の共通パイロットチャネル上で受信された前記共通パイロットシンボルと前記専用パイロットチャネル上で受信された前記専用パイロットシンボルとに基づいて前記物理ダウンリンク共有チャネル上で受信された前記データ信号を復調することと、
前記正規の共通パイロットチャネル上で受信された前記共通パイロットシンボルと前記専用パイロットチャネル上で受信された前記専用パイロットシンボルとに基づいてチャネル推定を生成することと
を備える、非一時的な機械によって読み取り可能な媒体。
【請求項１７】
物理ブロードキャスト制御チャネル上で動作モードインジケーションを受信するための、機械によって読み取り可能な命令をさらに備える、請求項１６に記載の非一時的な機械によって読み取り可能な媒体。
【請求項１８】
前記共通パイロットシンボルは、プリミティブプリコーディング情報を含む、請求項１６に記載の非一時的な機械によって読み取り可能な媒体。
【請求項１９】
前記専用パイロットシンボルは、プリコーディングされる、請求項１６に記載の非一時的な機械によって読み取り可能な媒体。
【請求項２０】
前記正規の共通パイロットチャネルと前記パケット専用制御チャネルとは、第１の帯域幅にわたって前記送信時間間隔の第１の複数のシンボルにおいて受信され、
前記専用パイロットチャネルと前記物理ダウンリンク共有チャネルとは、第２の帯域幅にわたって前記送信時間間隔の第２の複数のシンボルにおいて受信され、
前記第２の帯域幅は、前記第１の帯域幅よりも狭い、請求項１６に記載の非一時的な機械によって読み取り可能な媒体。
【請求項２１】
送信時間間隔において正規の共通パイロットチャネル上で共通パイロットシンボルを受信することと、
同じ前記送信時間間隔において専用パイロットチャネル上で専用パイロットシンボルを受信することと、
パケット専用制御チャネル上で制御信号を受信することと、
物理ダウンリンク共有チャネル上でデータ信号を受信することと、
前記正規の共通パイロットチャネル上で受信された前記共通パイロットシンボルに基づいて前記パケット専用制御チャネル上で受信された前記制御信号を復調することと、
前記正規の共通パイロットチャネル上で受信された前記共通パイロットシンボルと前記専用パイロットチャネル上で受信された前記専用パイロットシンボルとに基づいて前記物理ダウンリンク共有チャネル上で受信された前記データ信号を復調することと、
前記正規の共通パイロットチャネル上で受信された前記共通パイロットシンボルと前記専用パイロットチャネル上で受信された前記専用パイロットシンボルとに基づいてチャネル推定を生成することと
を行うように構成された集積回路を備える、ワイヤレス通信装置。
【請求項２２】
前記集積回路は、物理ブロードキャスト制御チャネル上で動作モードインジケーションを受信するようにさらに構成される、請求項２１に記載のワイヤレス通信装置。
【請求項２３】
前記共通パイロットシンボルは、プリミティブプリコーディング情報を含む、請求項２１に記載のワイヤレス通信装置。
【請求項２４】
前記専用パイロットシンボルは、プリコーディングされる、請求項２１に記載のワイヤレス通信装置。
【請求項２５】
前記正規の共通パイロットチャネルと前記パケット専用制御チャネルとは、第１の帯域幅にわたって前記送信時間間隔の第１の複数のシンボルにおいて受信され、
前記専用パイロットチャネルと前記物理ダウンリンク共有チャネルとは、第２の帯域幅にわたって前記送信時間間隔の第２の複数のシンボルにおいて受信され、
前記第２の帯域幅は、前記第１の帯域幅よりも狭い、請求項２１に記載のワイヤレス通信装置。
【手続補正２】
【補正対象書類名】明細書
【補正対象項目名】００６７
【補正方法】変更
【補正の内容】
【００６７】
上述されていることは、１つ以上の実施形態の例を含む。当然のことであるが、上記の実施形態を説明することを目的として構成要素又は方法の考えられるあらゆる組み合わせを説明することは可能ではないが、様々な実施形態のさらに数多くの組み合わせ及び置換が可能であることを当業者は認識することができる。従って、説明される実施形態は、添付された請求項の精神又は適用範囲内にあるあらゆる変更、修正及び変形を包含することが意図されている。さらに、発明を実施するための形態又は請求項の範囲において“含む”という表現が用いられている限りにおいて、該表現は、“備える”という表現が請求項において移行語として採用されたときの解釈と同様の包含性を有することが意図されている。
以下に本願発明の当初の特許請求の範囲に記載された発明を付記する。
［Ｃ１］
無線通信ネットワークにおいてハイブリッドパイロットモードを利用するための方法であって、
多重化された共通パイロットシンボルと専用パイロットシンボルとを含む送信を送信時間間隔において受信することと、
前記共通パイロットシンボルを利用して少なくとも１つの制御チャネルにおける制御信号を復調することと、
前記専用パイロットシンボルを用いて少なくとも１つのデータチャネルにおけるデータ信号を復調すること、とを備える、方法。
［Ｃ２］
前記専用パイロットシンボルを利用してチャネル推定を生成することをさらに備えるＣ１に記載の方法。
［Ｃ３］
前記共通パイロットシンボルを用いることによって前記チャネル推定を増強することをさらに備えるＣ２に記載の方法。
［Ｃ４］
前記専用パイロットシンボル及び前記共通パイロットシンボルの両方を利用してデータ信号を復調することをさらに備えるＣ１に記載の方法。
［Ｃ５］
前記制御チャネルは、帯域幅全体にわたるＣ１に記載の方法。
［Ｃ６］
前記少なくとも１つの制御チャネルは、パケット専用制御チャネルを含むＣ１に記載の方法。
［Ｃ７］
前記少なくとも１つのデータチャネルは、物理ダウンリンク共有チャネルを含むＣ１に記載の方法。
［Ｃ８］
無線通信装置であって、
多重化された共通パイロットシンボルと専用パイロットシンボルとを含む送信を送信時間間隔において受信すること、前記共通パイロットシンボルを利用して少なくとも１つの制御チャネルにおける制御信号を復調すること、及び  前記専用パイロットシンボルを用いて少なくとも１つのデータチャネルにおけるデータ信号を復調することに関連する命令を保持するメモリと、
前記メモリに結合されて前記メモリ内に保持される前記命令を実行するように構成されたプロセッサと、を備える、無線通信装置。
［Ｃ９］
前記メモリは、前記専用パイロットシンボルを利用してチャネル推定を生成するための命令をさらに保持するＣ８に記載の無線通信装置。
［Ｃ１０］
前記メモリは、前記共通パイロットシンボルを用いることによって前記チャネル推定を増強するための命令をさらに保持するＣ９に記載の無線通信装置。
［Ｃ１１］
前記メモリは、前記専用パイロットシンボル及び前記共通パイロットシンボルの両方を利用してデータ信号を復調するための命令をさらに保持するＣ８に記載の無線通信装置。
［Ｃ１２］
前記制御チャネルは、帯域幅全体にわたるＣ８に記載の無線通信装置。
［Ｃ１３］
前記少なくとも１つの制御チャネルは、パケット専用制御チャネルを含むＣ８記載の無線通信装置。
［Ｃ１４］
前記少なくとも１つのデータチャネルは、物理ダウンリンク共有チャネルを含むＣ８に記載の無線通信装置。
［Ｃ１５］
無線通信ネットワークにおいてハイブリッドパイロットモードを利用するのを容易にする無線通信装置であって、
多重化された共通パイロットシンボルと専用パイロットシンボルとを含む送信を送信時間間隔において受信するための手段と、
前記共通パイロットシンボルを利用して少なくとも１つの制御チャネルにおける制御信号を復調するための手段と、
前記専用パイロットシンボルを用いて少なくとも１つのデータチャネルにおけるデータ信号を復調するための手段と、を備える、無線通信装置。
［Ｃ１６］
前記専用パイロットシンボルを利用してチャネル推定を生成するための手段をさらに備えるＣ１５に記載の無線通信装置。
［Ｃ１７］
前記共通パイロットシンボルを用いることによって前記チャネル推定を増強するための手段をさらに備えるＣ１６に記載の無線通信装置。
［Ｃ１８］
前記専用パイロットシンボル及び前記共通パイロットシンボルの両方を利用してデータ信号を復調するための手段をさらに備えるＣ１５に記載の無線通信装置。
［Ｃ１９］
前記制御チャネルは、帯域幅全体にわたるＣ１５に記載の無線通信装置。
［Ｃ２０］
前記少なくとも１つの制御チャネルは、パケット専用制御チャネルを含むＣ１５に記載の無線通信装置。
［Ｃ２１］
前記少なくとも１つのデータチャネルは、物理ダウンリンク共有チャネルを含むＣ１５に記載の無線通信装置。
［Ｃ２２］
機械によって読み取り可能な媒体であって、
多重化された共通パイロットシンボルと専用パイロットシンボルとを含む送信を送信時間間隔において受信し、
前記共通パイロットシンボルを利用して少なくとも１つの制御チャネルにおける制御信号を復調し、及び
前記専用パイロットシンボルを用いて少なくとも１つのデータチャネルにおけるデータ信号を復調するための機械によって実行可能な命令を格納している、機械によって読み取り可能な媒体。
［Ｃ２３］
前記専用パイロットシンボルを利用してチャネル推定を生成するための機械によって実行可能な命令をさらに備えるＣ２２に記載の機械によって読み取り可能な媒体。
［Ｃ２４］
前記共通パイロットシンボルを用いることによって前記チャネル推定を増強するための機械によって読み取り可能な命令をさらに備えるＣ２３に記載の機械によって読み取り可能な媒体。
［Ｃ２５］
前記専用パイロットシンボル及び前記共通パイロットシンボルの両方を利用してデータ信号を復調するための機械によって読み取り可能な命令をさらに備えるＣ２２に記載の機械によって読み取り可能な媒体。
［Ｃ２６］
前記制御チャネルは、帯域幅全体にわたるＣ２２に記載の機械によって読み取り可能な媒体。
［Ｃ２７］
前記少なくとも１つの制御チャネルは、パケット専用制御チャネルを含むＣ２２に記載の機械によって読み取り可能な媒体。
［Ｃ２８］
前記少なくとも１つのデータチャネルは、物理ダウンリンク共有チャネルを含むＣ２２に記載の機械によって読み取り可能な媒体。
［Ｃ２９］
無線通信システムにおいて、装置であって、
多重化された共通パイロットシンボルと専用パイロットシンボルとを含む送信を送信時間間隔において受信し、
前記共通パイロットシンボルを利用して少なくとも１つの制御チャネルにおける制御信号を復調し、及び
前記専用パイロットシンボルを用いて少なくとも１つのデータチャネルにおけるデータ信号を復調するように構成された集積回路を備える、装置。
［Ｃ３０］
無線通信ネットワークにおいてハイブリッドパイロットモードを用いるための方法であって、
送信時間間隔において共通パイロットシンボルを専用パイロットシンボルと多重化することと、
前記多重化されたパイロットシンボルを少なくとも１つのモバイルデバイスに送信すること、とを備える、方法。
［Ｃ３１］
前記共通パイロットシンボルを共通パイロットチャネルにおいて送信することをさらに備えるＣ３０に記載の方法。
［Ｃ３２］
前記少なくとも１つのモバイルデバイスに対応する専用パイロットチャネルにおいて前記専用パイロットシンボルを送信することをさらに備えるＣ３０に記載の方法。
［Ｃ３３］
前記共通パイロットシンボルは、プリミティブプリコーディング情報を含むＣ３０に記載の方法。
［Ｃ３４］
前記専用パイロットシンボルは、プリコーディングされるＣ３０に記載の方法。
［Ｃ３５］
無線通信装置であって、
送信時間間隔において共通パイロットシンボルを専用パイロットシンボルと多重化すること及び前記多重化されたパイロットシンボルを少なくとも１つのモバイルデバイスに送信することに関連する命令を保持するメモリと、
前記メモリに結合されて前記メモリ内に保持される前記命令を実行するように構成されたプロセッサと、を備える、無線通信装置。
［Ｃ３６］
前記メモリは、前記共通パイロットシンボルを共通パイロットチャネルにおいて送信するための命令をさらに保持するＣ３５に記載の無線通信装置。
［Ｃ３７］
前記メモリは、前記少なくとも１つのモバイルデバイスに対応する専用パイロットチャネルにおいて前記専用パイロットシンボルを送信するための命令をさらに保持するＣ３５に記載の無線通信装置。
［Ｃ３８］
前記共通パイロットシンボルは、プリミティブプリコーディング情報を含むＣ３５に記載の無線通信装置。
［Ｃ３９］
前記専用パイロットシンボルは、プリコーディングされるＣ３５に記載の無線通信装置。
［Ｃ４０］
無線通信ネットワークにおいてハイブリッドパイロットモードを用いるのを容易にする無線通信装置であって、
送信時間間隔において共通パイロットシンボルを専用パイロットシンボルと多重化するための手段と、
前記多重化されたパイロットシンボルを少なくとも１つのモバイルデバイスに送信するための手段と、を備える、無線通信装置。  
［Ｃ４１］
前記共通パイロットシンボルを共通パイロットチャネルにおいて送信するための手段をさらに備えるＣ４０に記載の無線通信装置。
［Ｃ４２］
前記少なくとも１つのモバイルデバイスに対応する専用パイロットチャネルにおいて前記専用パイロットシンボルを送信するための手段をさらに備えるＣ４０に記載の無線通信装置。
［Ｃ４３］
前記共通パイロットシンボルは、プリミティブプリコーディング情報を含むＣ４０に記載の無線通信装置。
［Ｃ４４］
前記専用パイロットシンボルは、プリコーディングされるＣ４０に記載の無線通信装置。
［Ｃ４５］
機械によって読み取り可能な媒体であって、
送信時間間隔において共通パイロットシンボルを専用パイロットシンボルと多重化し、及び
前記多重化されたパイロットシンボルを少なくとも１つのモバイルデバイスに送信するための機械によって実行可能な命令を格納している、機械によって読み取り可能な媒体。
［Ｃ４６］
前記共通パイロットシンボルを共通パイロットチャネルにおいて送信するための命令をさらに備えるＣ４５に記載の機械によって読み取り可能な媒体。
［Ｃ４７］
前記少なくとも１つのモバイルデバイスに対応する専用パイロットチャネルにおいて前記専用パイロットシンボルを送信するための命令をさらに備えるＣ４５に記載の機械によって読み取り可能な媒体。
［Ｃ４８］
前記共通パイロットシンボルは、プリミティブプリコーディング情報を含むＣ４５に記載の機械によって読み取り可能な媒体。
［Ｃ４９］
前記専用パイロットシンボルは、プリコーディングされるＣ４５に記載の機械によって読み取り可能な媒体。
［Ｃ５０］
無線通信システムにおいて、装置であって、
送信時間間隔において共通パイロットシンボルを専用パイロットシンボルと多重化し、及び
前記多重化されたパイロットシンボルを少なくとも１つのモバイルデバイスに送信するように構成された集積回路を備える、装置。